(57)【特許請求の範囲】
【請求項１】
絶縁性基板、前記基板上に配置された作用極及び対極を有する電極系、及び、前記電極系上に配置された試薬層を備え、
前記試薬層が、アスペルギルス・オリゼ（Aspergillus oryzae）型ＦＡＤ−ＧＤＨ（フラビンアデニンジヌクレオチド依存性グルコースデヒドロゲナーゼ）、ルテニウム化合物、及び、ＰＭＳ（フェナジンメトサルフェート）を含む、
グルコースセンサ。
【請求項２】
前記アスペルギルス・オリゼ型ＦＡＤ−ＧＤＨは、アスペルギルス・オリゼの野生型ＦＡＤ−ＧＤＨ及びその改変体からなる群から選択され、前記改変体は前記野生型ＦＡＤ−ＧＤＨのアミノ酸配列のうち１〜４個のアミノ酸残基を置換した配列を有し、フラビンアデニンジヌクレオチド依存性グルコースデヒドロゲナーゼ活性を有する、請求項１のグルコースセンサ。
【請求項３】
前記ＰＭＳが、１-メトキシ-５-メチルフェナジニウムメチルサルフェートである、請求項１又は２に記載のグルコースセンサ。
【請求項４】
グルコースセンサ１枚あたりの前記アスペルギルス・オリゼ型ＦＡＤ−ＧＤＨの含有量が、１μｍｏｌのグルコースを３７℃１分で酸化する酵素量を１Ｕとした場合に、１〜４Ｕである、請求項１から３のいずれかに記載のグルコースセンサ。
【請求項５】
グルコースセンサ１枚あたりの前記ＰＭＳの含有量が、１００〜３００ｐｍｏｌである、請求項１から４のいずれかに記載のグルコースセンサ。
【請求項６】
グルコースセンサ１枚あたりの前記ルテニウム化合物の含有量が、１５〜２５μｇである、請求項１から５のいずれかに記載のグルコースセンサ。
【請求項７】
試料中のグルコース濃度の測定方法であって、
前記試料とアスペルギルス・オリゼ型ＦＡＤ−ＧＤＨを接触させること、及び、前記試料中のグルコースと前記アスペルギルス・オリゼ型ＦＡＤ−ＧＤＨとの反応を、ＰＭＳ及びルテニウム化合物を介して電気化学的に測定することを含む、グルコース濃度の測定方法。
【請求項８】
請求項１から６のいずれかに記載のグルコースセンサを用いて行う、請求項７記載のグルコース濃度の測定方法。
【請求項９】
前記接触後に前記電極系に電圧を印加すること、前記印加時に放出される応答電流値を測定すること、及び、前記応答電流値に基づいて前記試料中のグルコース濃度を算出することを含む、請求項８記載の測定方法。
【請求項１０】
作用極及び対極を有する電極系が配置された絶縁性基板の前記電極系上に、アスペルギルス・オリゼ型ＦＡＤ−ＧＤＨ、ルテニウム化合物、及び、ＰＭＳを含む試薬層を形成することを含む、グルコースセンサの製造方法。
【請求項１１】
請求項１から６のいずれかに記載のグルコースセンサと、前記グルコースセンサの電極系に電圧を印加する手段と、電極系における電流を測定するための手段とを含む、試料中のグルコース濃度を測定するためのグルコース濃度測定システム。
【発明の詳細な説明】
【技術分野】
【０００１】
本開示は、アスペルギルス・オリゼ型ＦＡＤ−ＧＤＨとルテニウム化合物とを含有するグルコースセンサに関する。
【背景技術】
【０００２】
各種グルコース酸化酵素を用いてグルコースを定量する方法に使用されるＧＤＨ（グルコースデヒドロゲナーゼ）として、アスペルギルス・オリゼのＦＡＤ−ＧＤＨが開示される。（特許文献１）。アスペルギルス・オリゼの野生型ＦＡＤ−ＧＤＨ及びその改変体はマルトース及びガラクトースに対する作用性が低くグルコースに対する基質特異性が高いと報告されている（特許文献２）。
【０００３】
グルコースセンサなどのバイオセンサは、一般的に、電気絶縁性の基板上に作用極と対極を有する電極系を形成し、その上にＧＤＨやＧＯＤなどの酸化還元酵素とメディエータとを含む試薬層が配置される構成をとる（特許文献３）。前記メディエータとしては、フェリシアン化合物やルテニウム化合物などが使用される（特許文献４）。
【先行技術文献】
【特許文献】
【０００４】
【特許文献１】特許第４２９２４８６号公報
【特許文献２】特許第４３４８５６３号公報
【特許文献３】ＷＯ２００５／０４３１４６
【特許文献４】ＷＯ２００３／０２５５５８
【発明の概要】
【発明が解決しようとする課題】
【０００５】
各種グルコース酸化酵素を用いてグルコースを定量する方法は従来種々検討がなされ、市販されている。グルコース酸化酵素を用いたグルコース定量法の原理は、グルコースが酵素によって酸化されたときに同時に該酸化酵素の補酵素が還元されることを利用したものであり、具体的には還元された補酵素もしくは電子伝達物質の吸光度を測定する方法（比色法）と酸化還元反応によって生じた電流を測定する方法（電極法）に大別される。特に近年においては、糖尿病患者が日常的に自己の血糖値を把握するための簡易型血糖センサとして電極法が主に使用されている。
【０００６】
グルコース酸化酵素としては、古くからグルコースオキシダーゼ（ＧＯＤ）が用いられてきた。しかしＧＯＤを電極法に適用した場合、ＧＯＤは分子状酸素を電子受容体とすることが可能であるため、試料中の溶存酸素濃度が定量値に影響するという問題があった。これを解消する方法として、分子状酸素を電子受容体としえないグルコースデヒドロゲナーゼ（ＧＤＨ）が多用されるようになった。
【０００７】
ＧＤＨとしては、ピロロキノリンキノン（ＰＱＱ）を補酵素とするもの（ＰＱＱ−ＧＤＨ）、フラビンアデニンジヌクレオチド（ＦＡＤ）を補酵素とするもの（ＦＡＤ−ＧＤＨ）、ニコチンアミドアデニンジヌクレオチド（ＮＡＤ）あるいはニコチンアデニンジヌクレオチドリン酸（ＮＡＤＰ）を補酵素とするもの（ＮＡＤ（Ｐ）−ＧＤＨ）の３種類に大きく大別される。ＧＤＨは、しばしば基質特異性が問題となった。すなわち、ＧＤＨは、グルコース以外のマルトースやガラクトースをも基質としてしまうことが知られていた。この基質特異性の問題を解消できるＧＤＨとして、アスペルギルス・オリゼのＦＡＤ−ＧＤＨ（特許文献１）が発見された。アスペルギルス・オリゼの野生型ＦＡＤ−ＧＤＨ及びその改変体（特許文献２）はマルトース及びガラクトースに対する作用性が低くグルコースに対する基質特異性が高いため、グルコースセンサへの適用が提案されている。
【０００８】
グルコースセンサなどのバイオセンサは、一般的に、電気絶縁性の基板上に作用極と対極を有する電極系を形成し、その上にＧＤＨやＧＯＤなどの酸化還元酵素とメディエータとを含む試薬層が配置された構成をとる（特許文献３）。前記メディエータとしては、フェリシアン化合物やルテニウム化合物などが使用される（特許文献４）。
【０００９】
アスペルギルス・オリゼの野生型ＦＡＤ−ＧＤＨ及びその改変体（以下、「アスペルギルス・オリゼ型ＦＡＤ−ＧＤＨ」ともいう。）は、フェリシアン化合物などのメディエータ（但し、ルテニウム化合物を除く）と組み合わせることにより、グルコース濃度が測定可能なグルコースセンサを作製できる（例えば、特許文献１及び２）。また、前記ルテニウム化合物も、アスペルギルス・オリゼ型ＦＡＤ−ＧＤＨ以外のＧＤＨ又はＧＯＤと組み合わせれば、グルコース濃度が測定可能なグルコースセンサを作製できる（例えば、特許文献３及び４）。しかし、アスペルギルス・オリゼ型ＦＡＤ−ＧＤＨとメディエータであるルテニウム化合物とを組み合わせると、グルコース濃度が測定できるグルコースセンサを作製できないという問題が見出された。アスペルギルス・オリゼ型ＦＡＤ−ＧＤＨとルテニウム化合物とを組み合せたグルコースセンサがグルコース濃度を測定できないという問題点は、これまで知られていなかった。
【００１０】
そこで、本開示は、一態様として、アスペルギルス・オリゼ型ＦＡＤ−ＧＤＨとルテニウム化合物とを組み合わせて使用する場合であっても、グルコース濃度を測定できるグルコースセンサを提供する。
【課題を解決するための手段】
【００１１】
本開示は、一態様として、絶縁性基板、前記基板上に配置された作用極及び対極を有する電極系、及び、前記電極系上に配置された試薬層を備え、前記試薬層が、アスペルギルス・オリゼ型ＦＡＤ−ＧＤＨ、ルテニウム化合物、及び、ＰＭＳ（フェナジンメトサルフェート）を含む、グルコースセンサ（以下、「本開示のグルコースセンサ」ともいう。）に関する。
【００１２】
本開示は、その他の態様として、絶縁性基板上に配置された作用極及び対極を有する電極系、グルコースデヒドロゲナーゼ、及びメディエータを用いて試料中のグルコースを測定する方法であって、前記試料とアスペルギルス・オリゼ型ＦＡＤ−ＧＤＨを接触させること、及び、前記試料中のグルコースと前記アスペルギルス・オリゼ型ＦＡＤ−ＧＤＨとの反応を、ＰＭＳ及びルテニウム化合物を介して電気化学的に測定することを含む、グルコース濃度の測定方法（以下、「本開示のグルコース濃度測定方法」ともいう。）に関する。
【００１３】
本開示は、その他の態様として、作用極及び対極を有する電極系が配置された絶縁性基板の前記電極系上に、アスペルギルス・オリゼ型ＦＡＤ−ＧＤＨ、ルテニウム化合物、及び、ＰＭＳを含む試薬層を形成することを含むグルコースセンサの製造方法に関する。
【００１４】
本開示は、その他の態様として、本開示のグルコースセンサと、前記グルコースセンサの電極系に電圧を印加する手段と、電極系における電流を測定するための手段とを含む、試料中のグルコース濃度を測定するためのグルコース濃度測定システムに関する。
【発明の効果】
【００１５】
本開示によれば、一態様として、マルトースやガラクトースに対する作用性が低くグルコースに対する基質特異性の高いアスペルギルス・オリゼ型ＦＡＤ−ＧＤＨと、メディエータであるルテニウム化合物との組み合わせを使用して、グルコース濃度が測定可能なグルコースセンサを提供できる。
【図面の簡単な説明】
【００１６】
【図１】図１は、２種類のメディエータ：ＰＭＳ及びルテニウム化合物（Ｒｕ）を介したアスペルギルス・オリゼ型ＦＡＤ−ＧＤＨによるグルコースの電気化学的センシングスキームを示す。（Ｏｘ）は酸化型、（Ｒｅ）は還元型であることを示す。
【図２】図２は、実施例１及び参考例１のグルコースセンサで検体試料を測定した時に検出された電流値のタイムコースを示すグラフの一例である。
【図３】図３は、グルコースセンサの構成及び製造方法の一例を説明する模式図である。
【図４】図４は、グルコースセンサの構成の一例を説明する模式図である。
【発明を実施するための形態】
【００１７】
本開示は、一態様において、アスペルギルス・オリゼ型ＦＡＤ−ＧＤＨのメディエータとしてルテニウム化合物を単独で使用しグルコースセンサを作製した場合、試料中のグルコース濃度に依存した電流値を得ることができず、グルコース濃度を測定できない、という知見に基づく。本開示は、また、一態様において、前記の構成のグルコースセンサであっても、メディエータとしてルテニウム化合物に加えてＰＭＳを使用すれば、グルコース濃度が測定できるようになる、という知見に基づく。
【００１８】
アスペルギルス・オリゼ型ＦＡＤ−ＧＤＨとルテニウム化合物との組み合わせのグルコースセンサではグルコース濃度が測定できず、前記組み合わせにＰＭＳを加えたグルコースセンサであるとグルコース濃度が測定できるメカニズムの詳細は不明であるが、アスペルギルス・オリゼ型ＦＡＤ−ＧＤＨとルテニウム化合物と間では電子授受効率が悪いと考えられる。一方、ＰＭＳは、アスペルギルス・オリゼ型ＦＡＤ−ＧＤＨから電子伝達されやすく、かつ、ルテニウム化合物に電子伝達をし易い性質があり、反応系にこれら３者が存在することで、ようやくグルコース濃度が測定できるようになると考えられる。すなわち、本開示におけるアスペルギルス・オリゼ型ＦＡＤ−ＧＤＨとグルコースとの反応の電気化学的測定スキームは、図１のようになると考えられる。まず、アスペルギルス・オリゼ型ＦＡＤ−ＧＤＨがグルコースとの反応により供与された電子が、第１のメディエータであるＰＭＳ（酸化型）に供与されＰＭＳを還元型にする。次に、還元型ＰＭＳから第２のメディエータであるルテニウム化合物（Ｒｕ）（酸化型）に電子が供与されルテニウム化合物を還元型とする。そして、還元型ルテニウム化合物から電極（作用極）に電子が供与され、電流値として測定される。但し、本開示はこれらのメカニズムに限定して解釈されなくてもよい。
【００１９】
［アスペルギルス・オリゼ（Aspergillus oryzae）型ＦＡＤ−ＧＤＨ］
本明細書において「ＦＡＤ−ＧＤＨ」は、フラビンアデニンジヌクレオチド依存性グルコースデヒドロゲナーゼ又はフラビンアデニンジヌクレオチド結合型グルコースデヒドロゲナーゼを意味する。本明細書において「アスペルギルス・オリゼ型ＦＡＤ−ＧＤＨ」は、アスペルギルス・オリゼの野生型ＦＡＤ−ＧＤＨ及び／又はその改変体を意味し、特に記載のない場合、野生型及びその改変体の双方を含む。本明細書において「アスペルギルス・オリゼ型ＦＡＤ−ＧＤＨ」は、好ましくは、従来公知のＦＡＤ非結合型ＧＤＨと比較して、マルトース及びガラクトースに対する作用性が低く、かつ、グルコースに対する基質特異性が高いＦＡＤ−ＧＤＨを意味する。
【００２０】
アスペルギルス・オリゼの野生型ＦＡＤ−ＧＤＨとしては、一又は複数の実施形態において、配列表の配列番号１のアミノ酸配列で表される公知のタンパク質が挙げられる。
【００２１】
本明細書において、アスペルギルス・オリゼの野生型ＦＡＤ−ＧＤＨの改変体とは、前記野生型ＦＡＤ−ＧＤＨのアミノ酸配列のアミノ酸残基を置換した配列を有し、かつ、フラビンアデニンジヌクレオチド依存性グルコースデヒドロゲナーゼ活性を有するものをいう。前記改変体は、好ましくは、野生型と同様に、マルトース及びガラクトースに対する作用性が低く、かつ、グルコースに対する基質特異性が高いことが好ましい。前記置換アミノ酸残基の数は、例えば、１、２、３、４、５個であって、１〜３個が好ましく、１〜２個がより好ましい。
【００２２】
本明細書におけるアスペルギルス・オリゼ型ＦＡＤ−ＧＤＨは、市販のものを使用できる。一又は複数の実施形態において、実施例で使用した東洋紡社製のアスペルギルス・オリゼ型ＦＡＤ−ＧＤＨが挙げられる。また、本明細書におけるアスペルギルス・オリゼ型ＦＡＤ−ＧＤＨの実施形態としては、特許文献１及び２に記載のものが挙げられる。
【００２３】
本明細書において、アスペルギルス・オリゼ型ＦＡＤ−ＧＤＨは、一又は複数の実施形態において、アミノ酸配列のＮ末端又はＣ末端に酵素精製のためのタグ配列、ペプチド配列、及び／又はそれらの配列の切断残部が付加された組換え体であって、フラビンアデニンジヌクレオチド依存性グルコースデヒドロゲナーゼ活性を有するものを含みうる。
【００２４】
アスペルギルス・オリゼ型ＦＡＤ−ＧＤＨのグルコースセンサ１枚あたりの含有量は、一又は複数の実施形態において、従来又は今後開発されるグルコースセンサに配置されている量であってよく、生産性（コスト）及び検出感度の維持の観点から、０．５〜１０Ｕが好ましく、より好ましくは１〜６Ｕ、さらに好ましくは１〜４Ｕである。なお、本明細書においてＵは酵素単位であって、１Ｕは、アスペルギルス・オリゼ型ＦＡＤ−ＧＤＨが１μｍｏｌのグルコースを３７℃１分で酸化する酵素量である。
【００２５】
なお、本明細書において「グルコースセンサ１枚あたりの含有量」とは、一又は複数の実施形態において、作用極及び対極を有する電極系を１つ有するグルコースセンサに使用される量をいい、さらなる一又は複数の実施形態において、１つの電極系の上に配置される試薬層に含まれる量をいい、さらなる一又は複数の実施形態において、試料が添加された時（使用時）に反応系に含まれるように配置される量をいう。また、本明細書において「グルコースセンサ１枚あたりの含有量」と言う時のグルコースセンサは、一又は複数の実施形態において、血液試料に対して使用される通常のサイズのものをいう。前記サイズは、一又は複数の実施形態において、添加される血液試料が、例えば０．２〜１．０μＬ、又は０．２〜０．４μＬのもの、或いは、血液試料が試薬層と接触して形成する反応系の容量が、例えば０．２〜１．０μＬ、又は０．２〜０．４μＬのものをいう。したがって、「グルコースセンサ１枚あたりの含有量」は、一又は複数の実施形態において、電極系の数、及び／又は、試料若しくは反応系の容量に応じ、本明細書に開示する範囲を適宜調節できる。
【００２６】
［ルテニウム化合物］
本明細書における「ルテニウム化合物」として、一又は複数の実施形態において、従来又は今後開発されるグルコースセンサやバイオセンサにメディエータに使用されるルテニウム化合物を使用できる。ルテニウム化合物は、酸化型のルテニウム錯体として反応系に存在し得るものであることが好ましい。前記ルテニウム錯体としては、メディエータ（電子伝達体）として機能すればその配位子の種類はとくに限定されないが、酸化型のものが下記化学式で示されるものを使用するのが好ましい。
［Ｒｕ（ＮＨ3）5Ｘ］n+
前記化学式におけるＸとしては、ＮＨ3、ハロゲンイオン、ＣＮ、ピリジン、ニコチンアミド、またはＨ2Ｏが挙げられるが、ＮＨ3又はハロゲンイオン（例えば、Ｃｌ-、Ｆ-、Ｂｒ-、I-）が好ましい。前記化学式におけるｎ＋は、Ｘの種類により決定される酸化型ルテニウム(III)錯体の価数を表す。
【００２７】
ルテニウム化合物のグルコースセンサ１枚あたりの含有量は、一又は複数の実施形態において、従来又は今後開発されるグルコースセンサに配置されている量であってよく、生産性（コスト）及び検出感度の観点から、５〜５０μｇが好ましく、より好ましくは１０〜４０μｇ、さらに好ましくは１５〜２５μｇである。
【００２８】
［ＰＭＳ］
本明細書において、「ＰＭＳ」は、フェナジンメトサルフェート及びその誘導体を示す。前記ＰＭＳとしては、試薬安定性の観点から、１-メトキシ-５-メチルフェナジニウムメチルサルフェート（１-メトキシＰＭＳ）が好ましい。
【００２９】
ＰＭＳのグルコースセンサ１枚あたりの含有量は、生産性（コスト）及び検出感度の観点から、４０〜９００ｐｍｏｌが好ましく、より好ましくは５０〜５００ｐｍｏｌ、さらに好ましくは１００〜３００ｐｍｏｌである。
【００３０】
グルコースセンサ１枚あたりのＰＭＳの含有量が２００ｐｍｏｌとした場合、アスペルギルス・オリゼ型ＦＡＤ−ＧＤＨの含有量は、一又は複数の実施形態において、１〜６Ｕ、又は１〜４Ｕであり、ルテニウム化合物の含有量は、一又は複数の実施形態において、１０〜４０μｇ、又は１５〜２５μｇである。
【００３１】
［試薬層に含まれるその他の成分］
試薬層には、さらに、一又は複数の実施形態において、測定感度向上の観点から、層状無機化合物、界面活性剤、緩衝剤などが含有されてもよい。前記層状無機化合物としては、一又は複数の実施形態において、従来又は今後開発されるグルコースセンサに使用されるものが使用できるが、同様の観点から、イオン交換能を有する膨潤性粘土鉱物が好ましく、ベントナイト、スメクタイト、バーミキュライト、合成フッ素雲母などがより好ましく、合成ヘクトライトや合成サポナイト等の合成スメクタイト；合成フッ素雲母等の膨潤性合成雲母；Ｎａ型雲母等の合成雲母（天然の雲母は、通常、非膨潤性の粘土鉱物である）などがより好ましい。これらの層状無機化合物は、単独で使用してもよいし、２種以上を併用してもよい。
【００３２】
前記界面活性剤としては、従来又は今後開発されるグルコースセンサに使用されるものが使用でき、特に制限されないが一又は複数の実施形態において、適宜、非イオン性、アニオン性、カチオン性、両性の界面活性剤を使用し得る。これらの中でも、測定感度向上の観点からは、両性界面活性剤が好ましい。両性界面活性剤としては、例えば、カルボキシベタイン、スルホベタイン、及びホスホベタイン等が挙げられ、同様の観点からスルホベタインが好ましい。スルホベタインとしては、例えば、ＣＨＡＰＳ（３−［（３−コールアミドプロピル］）ジメチルアンモニオ］プロパンスルホネート）、ＣＨＡＰＳＯ（３−［（３−コールアミドプロピル）ジメチルアンモニオ］−２−ヒドロキシ−１−プロパンスルホネート）、及びアルキルヒドロキシスルホベタイン等が挙げられ、同様の点からＣＨＡＰＳが好ましい。
【００３３】
前記緩衝剤としては、従来又は今後開発されるグルコースセンサに使用されるものが使用でき、特に制限されないが一又は複数の実施形態において、測定感度向上の観点から、アミン系緩衝剤及びカルボキシル基を有する緩衝剤が好ましい。前記アミン系緩衝剤としては、同様の観点から、Ｔｒｉｓ、ＡＣＥＳ、ＣＨＥＳ、ＣＡＰＳＯ、ＴＡＰＳ、ＣＡＰＳ、Ｂｉｓ−Ｔｒｉｓ、ＴＡＰＳＯ、ＴＥＳ、Ｔｒｉｃｉｎｅ及びＡＤＡ等が好ましく、より好ましくはＡＣＥＳ、Ｔｒｉｓ、さらに好ましくはＡＣＥＳである。前記カルボキシル基を有する緩衝剤としては、同様の観点から、酢酸−酢酸Ｎａ緩衝剤、リンゴ酸−酢酸Ｎａ緩衝剤、マロン酸−酢酸Ｎａ緩衝剤、コハク酸−酢酸Ｎａ緩衝剤等が好ましく、コハク酸−酢酸Ｎａ緩衝剤がより好ましい。これらの緩衝剤は、１種類でもよいし２種類以上を併用してもよい。
【００３４】
前記試薬層は、一又は複数の実施形態において、全ての試薬が含まれる単層構造であってもよく、多層の積層構造であってもよい。一又は複数の実施形態において、前記層状無機化合物を含む無機ゲル層を形成し、その上にアスペルギルス・オリゼ型ＦＡＤ−ＧＤＨを含む酵素層を形成するという積層構成の試薬層であってもよい。グルコースセンサにおける前記試薬層は、保存安定性の観点から、電極系上に乾燥状態で配置されることが好ましい。
【００３５】
［試料］
本開示のグルコースセンサ及び本開示のグルコース測定方法における測定対象試料は、一又は複数の実施形態において、血液、体液、尿などの生体試料であってもよく、その他の液体試料であってもよい。
【００３６】
[グルコースセンサ]
本開示のグルコースセンサは、絶縁性基板、前記基板上に配置された作用極及び対極を有する電極系、及び、前記電極系上に配置された試薬層を備える構成である。前記電極系は一又は複数の実施形態において参照極を有してもよい。前記電極は、従来又は今後開発されるグルコースセンサで使用されるものが使用でき、特に制限されないが一又は複数の実施形態において、作用極及び対極にはカーボン電極を用いてもよいし、白金、金、銀、ニッケル、パラジウムなどの金属電極を用いてもよい。参照極としては、特に限定されるものではなく、電気化学実験において一般的なもの及び今後開発されるものを適用することができるが、一又は複数の実施形態において、飽和カロメル電極、銀−塩化銀などが挙げられる。絶縁性基板上に電極を形成する方法としては、一又は複数の実施形態において、フォトリゾグラフィ技術や、スクリーン印刷、グラビア印刷、フレキソ印刷などの印刷技術により、電極を基板上に形成することが挙げられる。また、絶縁性基板の素材としても、従来又は今後開発されるグルコースセンサで使用されるものが使用でき、特に制限されないが一又は複数の実施形態において、シリコン、ガラス、ガラスエポキシ、セラミック、ポリエチレンテレフタレート（ＰＥＴ）、ポリスチレン、ポリメタクリレート、ポリプロピレン、アクリル樹脂、ポリ塩化ビニル、ポリエチレン、ポリプロピレン、ポリエステル、及びポリイミドなどが挙げられる。
【００３７】
本開示のグルコースセンサの一実施形態について、図３及び図４に基づいて説明する。図３（Ａ）〜（Ｆ）は、本実施形態のグルコースセンサを製造する一連の工程を示した斜視図である。また、図４は、前記図３（Ｆ）に示すグルコースセンサのＩ−Ｉ方向断面図である。なお、図３（Ａ）〜（Ｆ）及び図４において、同一箇所には同一符号を付している。
【００３８】
図３（Ｆ）及び図４に示すように、このグルコースセンサは、基板１１、リード部１２ａを有する作用極１２とリード部１３ａを有する対極１３とから構成された電極系、絶縁層１４、層状無機化合物を含む無機ゲル層１６、アスペルギルス・オリゼ型ＦＡＤ−ＧＤＨを含む酵素層１７、開口部を有するスペーサー１８及び貫通孔２０を有するカバー１９を備えている。なお、ルテニウム化合物及びＰＭＳは、それぞれ独立に無機ゲル層１６及び酵素層１７の少なくとも一方に含有される。また、その他の実施形態として、無機ゲル層１６及び酵素層１７が１層の試薬層を形成する構成であってもよい。
【００３９】
図３（Ｂ）に示すように、基板１１の一方の端部（両図において右側）上には、検出部１５が設けられており、検出部１５には、作用極１２と対極１３とが、基板１１の幅方向に並行して配置されている。前記両電極の一端は、それぞれリード部１２ａ、１３ａ（両図において左側）となり、これらと、検出部１５における他端とが、垂直となるように配置されている（図３（Ａ））。また、作用極１２と対極１３との間は、絶縁部となっている。このような電極系を備えた基板１１の上には、図３（Ｂ）に示すように、リード部１２ａ、１３ａ及び検出部１５を除いて、絶縁層１４が積層されており、絶縁層１４が積層されていない前記検出部１５上には、無機ゲル層１６及び酵素層１７がこの順序で積層されている。そして、絶縁層１４の上には、図３（Ｅ）に示すように、検出部１５に対応する箇所が開口部になっているスペーサー１８が配置されている。さらにスペーサー１８の上には、前記開口部に対応する一部に貫通孔２０を有するカバー１９が配置されている（図３（Ｆ））。このグルコースセンサにおいて、前記開口部の空間部分であり、かつ、前記酵素層１７及び絶縁層１４とカバー１９とに挟まれた空間部分が、キャピラリー構造の試料供給部２１となる。そして、前記貫通孔２０が、試料を毛管現象により吸入するための空気孔となる。
【００４０】
このグルコースセンサは、例えば、ある一定の時間で所定の電圧を加える手段、前記バイオセンサから伝達される電気信号を測定する手段、前記電気信号を測定対象物濃度に演算する演算手段等の種々の手段を備えた測定機器と組み合わせて使用できる。
【００４１】
このグルコースセンサの使用の一例について、説明する。
【００４２】
まず、全血試料をグルコースセンサの開口部２１の一端に接触させる。この開口部２１は、前述のようにキャピラリー構造となっており、その他端に対応するカバー１９には空気孔２０が設けられているため、毛管現象によって前記試料が内部に吸引される。吸引された前記試料は、検出部１５上に設けられた酵素層１７に浸透し、酵素層１７中のアスペルギルス・オリゼ型ＦＡＤ−ＧＤＨを溶解して、さらに酵素層１７の下層である無機ゲル層１６表面に達する。そして、表面に達した試料中のグルコースと、前記ＦＡＤ−ＧＤＨと、ＰＭＳと、ルテニウム化合物とが反応する。具体的には、測定対象物であるグルコースは前記ＦＡＤ−ＧＤＨにより酸化され、その酸化反応により移動した電子がＰＭＳを介してルテニウム化合物に伝えられ、還元型ルテニウム（ＩＩ）錯体が形成される。そして、無機ゲル層１６中で還元された還元型ルテニウム（ＩＩ）錯体と、無機ゲル層１６の下に位置する電極との間で、電子授受が行われ、これによってグルコース濃度が測定されうる。
【００４３】
[グルコースセンサの製造方法]
本開示は、その他の態様において、作用極及び対極を有する電極系が配置された絶縁性基板の前記電極系上に、アスペルギルス・オリゼ型ＦＡＤ−ＧＤＨ、ルテニウム化合物、及び、ＰＭＳを含む試薬層を形成することを含む、グルコースセンサの製造方法に関する。本開示の製造方法によれば、本開示のグルコースセンサを製造することができる。絶縁性基板、電極系、及び試薬層の構成及び又は含有量等は上述と同様にすることができる。
【００４４】
[グルコース濃度の測定方法]
本開示は、その他の態様において、試料中のグルコース濃度の測定方法であって、前記試料とアスペルギルス・オリゼ型ＦＡＤ−ＧＤＨを接触させること、及び、前記試料中のグルコースと前記アスペルギルス・オリゼ型ＦＡＤ−ＧＤＨとの反応を、ＰＭＳ及びルテニウム化合物を介して電気化学的に測定することを含む、グルコース濃度の測定方法に関する。
【００４５】
本明細書において「電気化学的に測定する」とは、電気化学的な測定手法を適用する測定することをいい、一又は複数の実施形態において、電流測定法、電位差測定法、電量分析法等が挙げられる。電流測定法としては、一又は複数の実施形態において、還元された電子伝達物質を印加により酸化される際に生ずる電流値を測定する方法が挙げられる。
【００４６】
本開示のグルコース濃度測定方法の一実施形態として、前記試料、前記アスペルギルス・オリゼ型ＦＡＤ−ＧＤＨ、前記ＰＭＳ、及び前記ルテニウム化合物を含む反応系を直接、絶縁性基板上に配置された作用極及び対極を有する電極系に配置することが挙げられる。あるいは、その他の実施形態として、前記電極系の上に無機ゲル層を配置し、その上に前記試料及び前記アスペルギルス・オリゼ型ＦＡＤ−ＧＤＨを含む反応系を配置してもよい。この場合、２種類の前記メディエータは、前記液相反応毛及び前記無機ゲル層の少なくとも一方に存在させることが好ましく、前記ＰＭＳを前記反応系に存在させ、前記ルテニウム化合物を前記無機ゲル層の存在させることがより好ましい。
【００４７】
本開示のグルコース濃度測定方法の好ましい実施形態としては、本開示のグルコースセンサを用いたグルコース濃度測定方法が挙げられる。
【００４８】
本開示のグルコース濃度測定方法は、その他の実施形態において、前記試料とアスペルギルス・オリゼ型ＦＡＤ−ＧＤＨとの接触後に前記電極系に電圧を印加すること、前記印加時に放出される応答電流値を測定すること、及び、前記応答電流値に基づいて前記試料中のグルコース濃度を算出することを含んでもよい。印加する電圧としては特に制限されるものではないが、一又は複数の実施形態において、１０〜７００ｍＶ、５０〜５００ｍＶ、又は１００〜４００ｍＶである。
【００４９】
本開示のグルコース濃度測定方法は、その他の実施形態において、前記試料とアスペルギルス・オリゼ型ＦＡＤ−ＧＤＨとの接触後所定の時間非印加の状態で保持した後に前記電極系に電圧を印加してもよいし、前記接触と同時に電極系に電圧を印加してもよい。非印加の状態で保持する時間としては、一又は複数の実施形態において、０秒を超え３０秒以下、又は０秒を超え１０秒以下である。
【００５０】
本開示のグルコースセンサ及び本開示のグルコース濃度測定方法における、電極系への電圧の印加、応答電流値の測定、及び、グルコース濃度の算出は、従来又は今後開発されるグルコース濃度測定装置等を用いて適宜行うことができる。
【００５１】
［グルコース濃度測定システム］
本開示は、さらにその他の態様として、本開示のグルコースセンサと、前記グルコースセンサの電極系に電圧を印加する手段と、前記電極系における電流を測定するための手段とを含む、試料中のグルコース濃度を測定するためのグルコース濃度測定システムに関する。
【００５２】
印加手段としては、グルコースセンサの電極系と導通し、電圧を印加可能であれば特に制限されるものではなく、公知又は今後開発される印加手段が使用できる。印加手段としては、一又は複数の実施形態においてグルコースセンサの電極系と接触可能な接触子、及び直流電源等の電源等を含みうる。
【００５３】
測定手段は、電圧印加時に生じた電極系における電流を測定するためのものであって、一又は複数の実施形態においてグルコースセンサの試薬層のルテニウム化合物から放出された電子の量に相関する応答電流値を測定可能なものであればよく、従来又は今後開発されるグルコースセンサで使用されているものが使用できる。
【００５４】
以下に、実施例及び比較例を用いて本開示をさらに説明する。但し、本開示は以下の実施例に限定して解釈されない。
【実施例】
【００５５】
［実施例１及び参考例１］
以下に示すようにして、図３（Ｆ）の模式図と同様の構造の実施例１及び参考例１のグルコースセンサを作製した。
【００５６】
まず、グルコースセンサの絶縁性基板１１として、ＰＥＴ製基板（長さ５０ｍｍ、幅６ｍｍ、厚み２５０μｍ）を準備し、その一方の表面に、スクリーン印刷により、リード部をそれぞれ有する作用極１２及び対極１３からなるカーボン電極系を形成した。
【００５７】
つぎに、以下に示すようにして前記電極上に絶縁層１４を形成した。まず、絶縁性樹脂ポリエステルを、濃度７５重量％になるように溶媒カルビトールアセテートに溶解させて絶縁性ペーストを調製し、これを前記電極上にスクリーン印刷した。印刷条件は、３００メッシュスクリーン、スキージ圧４０ｋｇであり、印刷する量は、電極面積１ｃｍ2当たり０．００２ｍＬとした。なお、検出部１５上と、リード部１２ａ、１３ａ上には、スクリーン印刷を行わなかった。そして、９０℃で６０分間加熱処理することによって絶縁層１４を形成した。
【００５８】
続いて、前記絶縁層１４を形成しなかった前記検出部１５に、以下に示すようにして無機ゲル層１６を形成した。まず、合成スメクタイト（商品名「ルーセンタイトＳＷＮ」、コープケミカル社製）０．３重量％、ルテニウム化合物（［Ｒｕ（ＮＨ3）6］Ｃｌ3、同仁化学研究所社製）６．０重量％、酢酸ナトリウム、及びコハク酸を含む無機ゲル形成液（ｐＨ７．５）を調製した。この無機ゲル形成液１．０μＬを、検出部１５に分注した。なお、検出部１５の表面積は約０．６ｃｍ2であり、前記検出部１５における電極１２、１３の表面積は約０．１２ｃｍ2であった。そして、これを、３０℃で乾燥させて、無機ゲル層１６を形成した。
【００５９】
さらに、前記無機ゲル層１６の上に、酵素層１７を形成した。まず、アスペルギルス・オリゼ型ＦＡＤ−ＧＤＨ（商品名「Glucose dehydrogenase(FAD-dependent)(GLD-351)」、東洋紡社製）２．７Ｕ、１-メトキシＰＭＳ（同仁化学研究所社製）２５重量％、ＡＣＥＳ緩衝液（ｐＨ７．５）を含む酵素液を調製した。この酵素液１．０μＬを、検出部１５の前記無機ゲル層１６の上に分注して、３０℃で乾燥させて酵素層１７を形成した。
【００６０】
最後に、開口部を有するスペーサー１８を絶縁層１４上に配置し、さらに、前記スペーサー１８上に空気孔となる貫通孔２０を有するカバー１９を配置して実施例１のグルコースセンサを作製した。前記カバー１９と絶縁層１４とに挟まれたスペーサー１８の開口部の空間が、キャピラリー構造となるため、これを試料供給部２１とした。
【００６１】
前記酵素液に１-メトキシＰＭＳを含まないことの他は実施例１と同様にして、参考例１のグルコースセンサを作製した。
【００６２】
実施例１のグルコースセンサ１枚あたりの含有量は、アスペルギルス・オリゼ型ＦＡＤ−ＧＤＨ２．７Ｕ、１-メトキシＰＭＳ５００ｐｐｍ、ルテニウム化合物２０μｇであった。なお、前記酵素単位Ｕは、１μｍｏｌのグルコースを３７℃１分で酸化する酵素量を意味する。
【００６３】
このようにして得られた実施例１及び参考例１のバイオセンサについて、自己血糖測定装置（商品名「グルコカードＸメーター」、アークレイ社製）を用いて検体試料と反応させた後に測定される電流値のタイムコースを記録した。前記自己血糖測定装置は、性能検査装置に接続され、電流値データの集積が可能となっている。検体試料としては、グルコース濃度を調整した静脈全血（グルコース濃度：４５，６７，１３４，３３６，６００ｍｇ／ｄＬ）を使用した。その結果を図２のグラフに示す。図２の実施例１のグラフに示される５種類のラインは、下から試料中グルコース濃度が４５，６７，１３４，３３６，及び６００ｍｇ／ｄＬの結果を示す。
【００６４】
図２に示す通り、実施例１のグルコースセンサでは検体試料中のグルコース濃度に依存した電流値が発生しているため、グルコース濃度が測定できることがわかる。一方、参考例１のグルコースセンサでは検体試料中のグルコース濃度に依存した電流値の発生が測定できず、グルコース濃度の測定が困難である。
【００６５】
［実施例２及び参考例２］
実施例１及び参考例１のアスペルギルス・オリゼ型ＦＡＤ−ＧＤＨに換えて、前記ＦＡＤ−ＧＤＨに結合している糖鎖が付加されていない糖鎖非結合型アスペルギルス・オリゼ型ＦＡＤ−ＧＤＨ（東洋紡社製）を使用した他は実施例１及び参考例１と同様にして、実施例２及び参考例２のグルコースセンサを作製した。
【００６６】
作製した実施例２及び参考例２のグルコースセンサを用いて、実施例１と同様に、グルコース濃度を調整した静脈全血の検体試料と反応させた後に測定される電流値のタイムコースを測定した。その結果、実施例２のグルコースセンサでは検体試料中のグルコース濃度に依存した電流値が発生しているため、グルコース濃度が測定できることがわかった（データ示さず）。一方、参考例２のグルコースセンサでは検体試料中のグルコース濃度に依存した電流値の発生が測定できず、グルコース濃度の測定が困難であることがわかった（データ示さず）。
【００６７】
［参考例３〜７］
実施例１の１-メトキシＰＭＳに換えて、それぞれ、Saccharomyces cerevisiae由来のCytochrome c（シグマアルドリッチ社製）、equine haert由来のCytochrome c（シグマアルドリッチ社製）及びacetylated equine haert由来のCytochrome c（シグマアルドリッチ社製）を使用した他は実施例１と同様にして参考例３〜５のグルコースセンサを作製した。また、参考例６のグルコースセンサとしてルテニウム化合物を除いた他は実施例１と同様のグルコースセンサを作製し、参考例７のグルコースセンサとして２種類のメディエータを含まない他は実施例１と同様のグルコースセンサを作製した。
【００６８】
作製した参考例３〜７のグルコースセンサを用いて、実施例１と同様に、グルコース濃度を調整した静脈全血の検体試料と反応させた後に測定される電流値のタイムコースを測定した。その結果、参考例３〜６のグルコースセンサでは検体試料中のグルコース濃度に依存した電流値の発生が測定できず、グルコース濃度の測定が困難であることがわかった。参考例６のグルコースセンサで測定された電流値のタイムコースの一例を図２に示す。また、参考例７のグルコースセンサでは電流値を検知できなかった。
【００６９】
実施例１〜２、及び、参考例１〜７の結果を下記表１にまとめる。
【００７０】
【表１】
0005584740.tif 000002
【００７１】
［実施例３〜６］
グルコースセンサ１枚あたりの１−メトキシＰＭＳの含有量を、それぞれ、４５、６７、１３４、及び３３６ｐｐｍとした他は実施例１と同様にして実施例３〜６のグルコースセンサを作製した。
【００７２】
作製した実施例３〜６のグルコースセンサを用いて、実施例１と同様に、グルコース濃度を調整した静脈全血の検体試料と反応させた後に測定される電流値のタイムコースを測定した。その結果、実施例３〜６のグルコースセンサでは検体試料中のグルコース濃度に依存した電流値が発生しているため、グルコース濃度が測定できることがわかった（データ示さず）。
【産業上の利用可能性】
【００７３】
本開示は、医療分野、及び／又は、医療を目的としない医学、生化学、生物学等の学術分野で有用である。
【図１】
0005584740.tif 000003
【図２】
0005584740.tif 000004
【図３】
0005584740.tif 000005
【図４】
0005584740.tif 000006
【配列表】
0005584740000001.app